(57)【要約】      （修正有）【課題】正面と背面に重りを着装脱自在にした、身体を鍛錬し、自由に且つ簡便に負荷を変えることが出来、また、雨天のとき、傘をさしながらでも使用できるようにし、ジョギングやウオーキングの用途にも適した身体鍛錬用ベストの提供。【解決手段】両肩に位置する肩部１と、概ね背面全体を被う背面部２と、開閉具４で左右に開閉自在な正面部３と、背面部と正面部とを両脇部で連結緊定するバンド５とから構成の着装脱自在なベストにおいて、正面部の左右に、それぞれ少なくとも２ケ以上の重り収納袋Ｂを設けるとともに、背面部にも、少なくとも２ケ以上の重り収納袋を設け、正面部の左右の両胸部と、背面部に設けられる重り収納袋は、蓋体１１と、袋体１２と、該袋体の外側長手方向に帯体１３を備え、背面部と正面部とを連結緊定するバンドの少なくとも１ケ所に、伸縮自在な部材を採用した。【選択図】図１
0003112985.tif 000002
【実用新案登録請求の範囲】
【請求項１】
両肩に位置する肩部１と、概ね背面全体を被う背面部２と、左右に開閉自在な正面部３と、背面部２と正面部３とを両脇部で連結緊定するバンド５とから構成の着装脱自在なベストＡにおいて、
正面部３の左右に、それぞれ少なくとも２ケ以上の重り収納袋Ｂを設けるとともに、
背面部２にも、少なくとも２ケ以上の重り収納袋Ｃを設けたことを特徴とする身体鍛練用ベスト。
【請求項２】
正面部３の左右両胸部と、背面部２に設けられる重り収納袋Ｂ及びＣは、
蓋体１１，２１と、袋体１２，２２と、該袋体の外側長手方向に帯体１３，２３とを備えたことを特徴とする請求項１記載の身体鍛練用ベスト。
【請求項３】
背面部２と正面部３とを両脇部で連結緊定するバンド５の少なくとも１ケ所に、伸縮自在な部材を採用したことを特徴とする請求項１及び請求項２記載の身体鍛練用ベスト。
【考案の詳細な説明】
【技術分野】
【０００１】  本考案は、正面と背面に重りを着装脱自在にし、身体を鍛練するためのベストを提供するものである。
【背景技術】
【０００２】  重りを用いて身体を鍛練する器具・用品は多種多様な物が考案され製品化されている。しかしながら、ジョギングやウオーキングのときに利用できるものは少なく、特にその日のコースや距離で重さを変えたいとき、自由に且つ簡便に変更できるもの、雨天のとき、傘をさしながらでも使用できるものとなるとほんの数点に限定され、それらのものは、脚や手首といった体の部位に装着して使用されるものであって、体幹に装着して無理なく鍛練できる理想的なものが見当たらなかった。
そこで、このような点を解消するために案出されたものが本考案で、ベストを用いて重さが体幹全体に負荷されるようにし、無理なく鍛練できるようにしたものである。
【考案の開示】
【考案が解決しようとする課題】
【０００３】  体の一部位に負荷をかける方法の外に、体幹に負荷を（身体負荷）かけることもまた同等以上に運動効果が期待できると再評価され、しかもそれは各自の体力や身体運動能力に応じ適切な負荷であることが求められている。
そこで本考案は、ジョギングやウオーキングのときにでも体幹にバランス良く負荷をかけて使用するに適する身体鍛練具を提供しようとするものである。
【課題を解決するための手段】
【０００４】  両肩に位置する肩部と、概ね背面全体を被う背面部と、左右に開閉自在な正面部と、
背面部と正面部とを両脇部で連結緊定するバンドとから構成の着装脱自在なベストにおいて、
正面部の左右両胸部に、それぞれ少なくとも２ケ以上の重り収納袋を設けるとともに、背面部にも、少なくとも２ケ以上の重り収納袋を設けたことを特徴とし、
さらに、正面部の左右両胸部と、背面部に設けられる重り収納袋は、それぞれに備えられた蓋体と、袋体と、該袋体の外側長手方向に帯体とを備え、また、背面部と正面部とを両脇部で連結緊定するバンドの少なくとも１ケ所に、伸縮自在な部材を採用して課題を解決するための手段としている。
【考案の効果】
【０００５】  本考案は、上記のような手段で課題を解決しようとするものなので、次のような効果を奏するものである。
（１）正面部の左右両胸部に複数個の重り収納袋を設けているので、左右バランス良く負荷をかけることができる。
（２）背面部にも複数個の重り収納袋を設けているので、背面の左右にもバランス良く負荷をかけることができるばかりでなく、正面と背面とのバランスも調整できる。
（３）正面部と背面部とに設けられた重り収納袋には蓋体を備えているので、使用者が仮に前方に屈むことがあっても袋に収納された重りは、収納袋から落下することが無い。
（４）正面部と背面部とに設けられた重り収納袋には蓋体の他に、各袋の外側の長手方向に帯体を備えているので、重りを収納袋から取出すとき、帯体を下方から押し上げるだけで重りを袋体から簡単に取出すことができ、収納袋に指を入れて取出す動作は不要である。
（５）背面部と正面部とを両脇部で連結緊定するバンドの少なくとも１ケ所に、伸縮自在な部材を採用しているので、使用者の胴周に合せ密着した形で着装することができるのでジョギングやウオーキングにも最適に使用できる。
【考案を実施するための最良の形態】
【０００６】  本考案を実施するための最良の形態は、両肩に位置する肩部と、概ね背面全体を被う背面部と、左右に開閉自在な前面部と、背面部と正面部とを両脇部で連結緊定するバンドとから構成の着装脱自在なベストにおいて、
正面部の左右上方の両胸部に、それぞれ少なくとも２ケ以上の重り収納袋を設けるとともに、背面部の上方にも、少なくとも２ケ以上の重り収納袋を設け、
正面部の左右上方の両胸部と、背面部の上方に設けられる重り収納袋は、蓋体と、袋体と、該袋体の外側長手方向に帯体を備え、
背面部と正面部とを両脇部で連結緊定するバンドの少なくとも１ケ所に、伸縮自在な部材を採用して構成したことを特徴としている。
【実施例】
【０００７】  本考案の実施例を図面に基づき説明する。
図１は本考案の身体鍛練用ベストＡの全体を示し、両肩に位置する肩部１と、概ね背面全体を被う背面部２と、開閉具４で左右に開閉自在な正面部３と、背面部２と正面部３とを両脇部で連結緊定するバンド５とから構成されている着装脱自在なベストである。【０００８】  正面部３の左右上方の両胸部には、左右それぞれに少なくとも２ケ以上の重り収納袋Ｂを設けるとともに、この収納袋Ｂには、袋体１２と、この袋体１２の長手方向外側に帯体１３をもうけるとともに蓋体１１を備えている。【０００９】  図２は背面部２と正面部３とを両脇部で連結緊定するバンド５の詳細を説明するもので、正面部３側には、伸縮自在な例えば織り護謨などの素材で輪状を呈する連結帯６を設け、この輪状の連結帯６に否伸縮帯のバンド５を連結したもので、該バンド５の先端部内側には前記輪状の連結帯６の表面に設けた面フアスナー８に止着する面フフアスナー９が取り付けられている。【００１０】  図３は概ね背面全体を被う背面部２を説明するもので、背面の上方に横一列状態で少なくとも２ケ以上の重り収納袋２２を設け、この袋体の外側長手方向に帯体２３を備え、且つその上部には、蓋２１を設けて重り収納袋Ｃは構成されている。
【産業上の利用可能性】
【００１１】  本考案は、以上説明のような構成を有するものであるから、その製造や加工上何ら障害となる点は存在しないし、前記記載のような数々の効果を奏し、体幹の前後左右にバランスよく負荷をかける事ができばかりでなく、前傾姿勢を取った時でも収納した重りが袋から飛び出して落下することがないので、ジョギングやウオーキング時に使用するにも最適な身体鍛錬ベストを提供することができる。
【図面の簡単な説明】
【００１２】
【図１】本考案の身体鍛錬用ベストの全体を説明する図である。
【図２】背面部と正面部とを両脇部で連結緊定するバンドとその付近の構成を説明する図である。
【図３】本考案の身体鍛錬用ベストの背面部の構成を説明する図である。
【符号の説明】
【００１３】  Ａ身体鍛錬用ベスト    Ｂ正面重り収納袋      Ｃ背面重り収納袋
１肩部    ２背面部    ３正面部    ４開閉具    ５連結緊定バンド    ６伸縮バンド
７端部    ８，９面フアスナー
【図１】
0003112985.tif 000003
【図２】
0003112985.tif 000004
【図３】
0003112985.tif 000005